(57)【要約】【課題】  幅木の長手方向長さを長くしつつも、足場板上での姿勢変更を容易に行うことのできる足場用幅木を提供すること。【解決手段】  支柱と、布材と、前記布材の間に架設される足場板とを備えた作業足場に用いられる足場用幅木であって、支柱と支柱との間に架設されて、前記足場板の外側縁辺に沿って立ち上がる長尺状の幅木本体と、前記幅木本体の下部に設けられ前記支柱側とは逆方向に突出する遮蔽板と、を有し、前記幅木本体の高さ（ａ）と、前記遮蔽板の突出長さ（ｂ）とが、以下の式（１）の関係を満たす足場用幅木。０．９＜ｂ／ａ＜１．１  ・・・  （１）【選択図】図５
2018035576.tif 000002
【特許請求の範囲】
【請求項１】
支柱と、布材と、前記布材の間に架設される足場板とを備えた作業足場に用いられる足場用幅木であって、
支柱と支柱との間に架設されて、前記足場板の外側縁辺に沿って立ち上がる長尺状の幅木本体と、前記幅木本体の下部に設けられ前記支柱側とは逆方向に突出する遮蔽板と、を有し、
前記幅木本体の高さ（ａ）と、前記遮蔽板の突出長さ（ｂ）とが、以下の式（１）の関係を満たす足場用幅木。
０．９＜ｂ／ａ＜１．１  ・・・  （１）
【請求項２】
前記幅木本体の長手方向長さは、３ｍ以上５ｍ以下である請求項１に記載の足場用幅木。
【請求項３】
前記幅木本体の高さ方向の先端部、及び前記遮蔽板の突出方向の先端部には、傾斜部を有する請求項１又は２に記載の足場用幅木。
【発明の詳細な説明】
【技術分野】
【０００１】
本発明は、土木工事現場及び建築現場等で用いられる作業足場に好適な足場用幅木に関する。
【背景技術】
【０００２】
土木工事現場や建築現場等では、高所作業の際に図１に示すような作業足場（以下、単に「足場」と称することがある。）が組み立てられる。具体的には、上下方向に延在する支柱５２と、該支柱５２と垂直でかつ水平方向に設けられる布材５３とによって足場５１の骨組みが形成される。対向する布材５３間には、足場板５４が架設される。
【０００３】
足場板５４上に置いた工具等の物の落下や、作業者等が足を踏み外すこと等を防止する目的で、足場板５４の外側縁部には上下方向（Ｚ方向）に立ち上がった足場用幅木（以下、単に「幅木」と称することがある。）２１が設置される。
【０００４】
図２を用いて、幅木２１についてより詳細に説明する。図２（ａ）のように、幅木２１は、幅木本体２１ａと遮蔽板２１ｂとを有する。幅木本体２１ａはＺ方向に立ち上がる板状の部材であり、遮蔽板２１ｂは、幅木本体２１ａの下部に設けられ、幅木本体２１ａと直角をなす板状の部材である。遮蔽板２１ｂは、足場板５４と幅木本体２１ａとの間の隙間を無くして、物等が落下することを防ぐ機能を有する。尚、図面では省略しているが、幅木本体２１ａの裏面側に設けられた固定金具等を介して、幅木２１が支柱５２に取り付けられる。また、足場板５４はその端部に設けられたクランプ５５によって布材５３に取り付けられる。図２には図示していないが、図２のＸ方向（又はＹ方向）に複数の支柱５２が設けられ、支柱５２間を架設するように幅木２１が設けられる。尚、図２では、幅木２１のＸ方向の長さを短く省略して示している。
【発明の概要】
【発明が解決しようとする課題】
【０００５】
実際の作業時には、作業足場を組み立てた後に、幅木２１が支柱５２に取り付けられる。特に、足場板５４が高所にある作業足場の側面に幅木２１を取り付けようとすると、作業足場の下部から足場板５４の上の作業者まで、クレーン等で吊り上げながら幅木２１を搬送する必要がある。足場板５４上で幅木２１を受け取った作業者は、固定金具等を操作して、手作業により幅木２１を支柱５２に取り付ける。
【０００６】
図２には図示していないが、幅木２１の長手方向（図２ではＸ方向）には、複数の幅木２１が直列に並べられる。そこで、幅木２１の搬送回数や幅木２１の取付作業回数を減らすという目的で、幅木２１の長手方向の長さを長くし、従来は複数の幅木２１を長手方向に直列に設けていたところを、一つの幅木２１によって済ませることが望まれている。
【０００７】
一方で、幅木２１の長手方向の長さを長くすると、幅木２１の自重が大きくなることもあり、その操作性が悪くなる。詳細については以下に説明するが、特に足場板５４上で作業者が幅木２１の向き（姿勢）を変える作業が難しくなるので、足場板５４上の作業者へ幅木２１を渡す際にその向きを決めて渡さなければならず、幅木２１の搬送作業が煩雑となる。
【０００８】
図３には、従来用いられている幅木１１を作業足場に取り付けた際の、Ｙ−Ｚ断面の簡略図を示す。従来の幅木１１では、幅木本体１１ａのＺ方向長さ（図ではａで示す。）と、遮蔽板１１ｂのＹ方向長さ（図ではｂで示す。）とが異なる長さであり、より詳しくは、幅木本体１１ａのＺ方向長さが遮蔽板１１ｂのＹ方向長さよりも長い（ａ＞ｂ）。実際の作業足場では、図３のように、足場板５４を挟んでＹ方向の両端（図示していないがＸ方向の両端の場合もある。）に、幅木１１が設けられることになる。図面左側の幅木１１の向き（姿勢）をＬ字型とし、図面右側の幅木１１の向き（姿勢）を逆Ｌ字型とする。尚、図３及び図４に示す従来の幅木１１の例では、傾斜部の図示を省略している。
【０００９】
図４に示すように、作業者がＬ字型から逆Ｌ字型に姿勢を変更するためには、作業者が幅木１１を持ちながら、幅木１１の長手方向の長さを回転半径とし、長手方向の両端部を回転させなければならない。このような幅木１１の姿勢変更作業は、足場板５４上で幅木１１を大きく動かす必要があり、反転作業を作業者が無理な姿勢で行わなければならず、高所での作業時に危険となる。
【００１０】
幅木１１の長手方向の長さを長くすると、幅木１１を回転させている途中で幅木１１と支柱５２等との干渉が起こりやすくなること、幅木１１の重量が増すこと、及び回転時に幅木１１をより大きく動かさなければならない等の理由により、足場板５４上での幅木１１の姿勢変更作業の危険性が高まる。特に、狭い場所での幅木１１の姿勢変更作業が不可能となる。そこで、足場板５４上での幅木１１の姿勢変更作業を避けるために、足場板５４上の作業者が所望している姿勢（Ｌ字型なのか逆Ｌ字型なのか）にて幅木１１を渡す必要がある。つまり、足場板５４上の作業者に向けて幅木１１を渡す際に、幅木１１をＬ字型の姿勢で渡すか、逆Ｌ字型の姿勢で渡すかをその都度判断しなければならず、幅木１１の搬送作業が煩雑となってしまう。
【００１１】
本発明は、上記の問題点に鑑みて完成されたものであり、幅木の長手方向長さを長くしつつも、足場板上での姿勢変更を容易に行うことのできる足場用幅木を提供することを課題とする。
【課題を解決するための手段】
【００１２】
本発明の手段は、次の通りである。
［１］支柱と、布材と、前記布材の間に架設される足場板とを備えた作業足場に用いられる足場用幅木であって、支柱と支柱との間に架設されて、前記足場板の外側縁辺に沿って立ち上がる長尺状の幅木本体と、前記幅木本体の下部に設けられ前記支柱側とは逆方向に突出する遮蔽板と、を有し、前記幅木本体の高さ（ａ）と、前記遮蔽板の突出長さ（ｂ）とが、以下の式（１）の関係を満たす足場用幅木。０．９＜ｂ／ａ＜１．１  ・・・  （１）
［２］前記幅木本体の長手方向長さは、３ｍ以上５ｍ以下である前記［１］に記載の足場用幅木。
［３］前記幅木本体の高さ方向の先端部、及び前記遮蔽板の突出方向の先端部には、傾斜部を有する前記［１］又は［２］に記載の足場用幅木。
【発明の効果】
【００１３】
本発明では、幅木の長手方向長さを大きくし、施工に必要となる幅木の部品点数を減らして幅木の取付作業回数を減らすことができ、かつ、幅木本体の高さと遮蔽板の突出長さとを略同等にすることで、幅木の姿勢を容易に変更することができる。
【図面の簡単な説明】
【００１４】
【図１】図１は、作業足場の概略斜視図である。
【図２】図２は、本発明に係る足場用幅木を作業足場に取り付けた際の概略斜視図である。
【図３】図３は、従来の足場用幅木を作業足場に取り付けた際の、Ｙ−Ｚ断面の簡略図である。
【図４】図４は、従来の足場用幅木の姿勢変更作業を示す、説明図である。
【図５】図５は、本発明に係る足場用幅木の姿勢変更作業を示す、説明図である。
【図６】図６は、本発明に係る足場用幅木の正面図、側面図、及び平面図である。
【発明を実施するための形態】
【００１５】
まず、図５を用いて、本発明に係る足場用幅木２１について説明する。
【００１６】
足場用幅木２１は、幅木本体２１ａの高さ（ａ）と、遮蔽板２１ｂの突出方向（Ｙ方向）長さ（ｂ）とが略同じ長さ（ａ≒ｂ）である。より具体的には、ａとｂとが以下の式（１）を満たすこととする。
０．９＜ｂ／ａ＜１．１  ・・・（１）
ａとｂとを上述の式（１）のようにすると、幅木本体２１ａと遮蔽板２１ｂとを互いに転用することができるようになり、従来のように幅木の長手方向の長さを回転半径とせずとも、幅木２１の姿勢を変更することができる。具体的には図５のように、Ｌ字型から逆Ｌ字型へと姿勢を変更する際に、図の矢印で示しているように、幅木本体２１ａの高さ分の長さ（ａ）及び遮蔽板２１ｂの突出方向長さ（ｂ）を回転半径として回転させれば姿勢を変更することができる。姿勢を変更した後の幅木２１では、遮蔽板２１ｂを幅木本体として、幅木本体２１ａを遮蔽板として使用することができる。このように、本発明に係る幅木２１では、従来の幅木に比べて姿勢変更の際における幅木の動きを小さくすることができるので、姿勢変更作業の安全性を向上させることができる。
【００１７】
尚、遮蔽板２１ｂの突出方向長さとは、幅木本体２１ａの裏面（遮蔽板２１ｂの突出方向とは逆側の面）から遮蔽板２１ｂの突出部先端までのＹ方向長さのことを言い、幅木本体２１ａの肉厚分を含む長さであってもよい。
【００１８】
また、本発明に係る幅木２１は、従来の幅木に比べて長手方向（Ｘ方向）長さが長く、３ｍ以上５ｍ以下である。これにより、長手方向に直列に配置する幅木２１の部品点数が少なくて済み、足場板上の作業者への幅木２１の搬送回数や幅木２１の取付作業回数等を削減することができる。
【００１９】
図６には、幅木２１の正面図（ａ）、左側面図（ｂ）、及び平面図（ｃ）を示す。尚、前記正面図は、図５のＬ字型の幅木２１をＹ方向から見た図であり、前記左側面図は、図５のＬ字型の幅木２１をＸ方向に向かって見た図であり、前記平面図は、図５のＬ字型の幅木２１をＺ方向から見た図である。
【００２０】
図６（ｂ）のように、幅木本体２１ａの高さ方向の端部には、裏面側（支柱との取付側）に向かって上方向へ突出する傾斜部２１ｃが設けられ、遮蔽板２１ｂの突出方向の端部には、端部に向かって下方向へ突出する傾斜部２１ｄが設けられる。これらの傾斜部は、幅木２１と他の部材との干渉を防ぐという機能を有する。より具体的には、図２（ｂ）を用いて説明する。図２（ｂ）は、図２（ａ）のＹ−Ｚ断面図である。幅木２１を作業足場に取り付けた際に、幅木本体２１ａの下部には、布材５３の上方に突出する幅木固定部材５６、足場板５４のＸ方向端部に設けられて布材５３に係合するクランプ部材５５、及び足場板５４のＹ方向端部等が位置する。傾斜部２１ｄを設けることにより、幅木２１を取り付けた際に、遮蔽板２１ｂの下面とクランプ部材５５及び幅木固定部材５６が接触、干渉することが防止される。傾斜部２１ｄの高さは、足場板５４の上面からのクランプ部材５５の上方向への突出長さ、及び幅木固定部材５６の上方向への突出長さ以上とすればよい。また、幅木本体２１ａと遮蔽板２１ｂとを互いに転用可能とするためには、傾斜部２１ｃと傾斜部２１ｄも、同等の形状、大きさとすることが好ましい。
【００２１】
また、図では省略しているが、幅木本体２１ａの裏面側に固定金具（例えばくさびクランプ等）を取り付け、この固定金具を支柱５２と係合させることによって、幅木２１を支柱５２に取り付けることができる。
【符号の説明】
【００２２】
１１、２１        足場用幅木
１１ａ、２１ａ    幅木本体
１１ｂ、２１ｂ    遮蔽板
２１ｃ、２１ｄ    傾斜部
５１              枠組み足場
５２              支柱
５３              布材
５４              足場板
５５              クランプ部材
５６              幅木固定部材
【図１】
2018035576.tif 000003
【図２】
2018035576.tif 000004
【図３】
2018035576.tif 000005
【図４】
2018035576.tif 000006
【図５】
2018035576.tif 000007
【図６】
2018035576.tif 000008